(57)【要約】【課題】登録時に重複登録を回避させる警告画面を表示し、同一生体情報について他のサービスシステムとの重複登録を回避させるようにした個人認証方法を提供する。【解決手段】サービスを提供するサービスシステムのサービスを受けるために生体情報を当該サービスシステムに連結してＩＣカードもしくはサーバに予め登録する時に、当該生体情報を当該サービスシステム以外のサービスシステムに連結して登録済であるかを判定し、登録済である旨の判定があった場合、当該生体情報を当該サービスシステムについてもＩＣカードもしくはサーバに重複登録することについて警告する警告画面を表示するステップを備える。【選択図】図１
2007219973.tif 000002
【特許請求の範囲】
【請求項１】
生体情報を予め登録しておき、認証時に認証用の生体情報を入力し、該認証用の生体情報と予め登録しておいた生体情報とを比較して同一性を判定して認証を行う個人認証装置において、
生体情報を予め登録する時に、当該生体情報が登録済であるかを画面上に尋ね、登録済である旨の回答が画面上にあった場合、当該生体情報の重複登録を警告する警告画面を表示する警告画面表示手段と
を備えることを特徴とする個人認証装置。
【請求項２】
生体情報を予め登録しておき、認証時に認証用の生体情報を入力し、該認証用の生体情報と予め登録しておいた生体情報とを比較して同一性を判定して認証を行う個人認証方法において、
サービスを提供するサービスシステムのサービスを受けるために生体情報を当該サービスシステムに連結してＩＣカードもしくはサーバに予め登録する時に、当該生体情報を当該サービスシステム以外のサービスシステムに連結して登録済であるかを判定し、登録済である旨の判定があった場合、当該生体情報を当該サービスシステムについてもＩＣカードもしくはサーバに重複登録することについて警告する警告画面を表示するステップ
を備えることを特徴とする個人認証方法。
【請求項３】
請求項１または２において、前記警告画面を表示したときは、当該生体情報の登録を拒否する処理を行い、他の指静脈情報もしくは他の生体情報の登録を求める画面を表示することを特徴とする個人認証方法。
【請求項４】
請求項１または２において、前記警告画面を表示したことを条件として生体情報について重複登録を行うことを特徴とする個人認証方法。
【請求項５】
複数の生体情報をそれぞれのサービスを提供するサービスシステム毎に連結して予めＩＣカードもしくはサーバに登録しておき、認証時に認証用の生体情報を入力し、該認証用の生体情報を予め登録しておいた生体情報とを比較して同一性を判定して認証を行う個人認証方法において、
生体情報を特定されたサービスシステムに連結して予め登録する要求が画面上にあった時に、サービスシステムの判定手段は、当該生体情報が登録済のサービスシステムに連結して登録済の生体情報であるかを判定し、登録済であると判定したときには、当該生体情報の重複登録を警告する警告画面を表示し、当該生体情報を登録することを拒否する処理を行い、他の生体情報の登録を求める画面を表示するステップ
を備えることを特徴とする個人認証方法。
【請求項６】
請求項５において、各サービスシステムのＩＣカードもしくはサーバには当該サービスシステムに連結された生体情報が登録されていることを特徴とする個人認証方法。
【発明の詳細な説明】
【技術分野】
【０００１】
本発明は個人認証方法に関する。
【背景技術】
【０００２】
最近、生体情報を利用して本人を確認するシステムの運用が拡大している。
【０００３】
例えば、指静脈や指紋を利用したＰＣログオンシステムや指静脈を利用した入退管理システム、銀行のＡＴＭシステム、ゲーム店のコイン管理システムなどである。
【０００４】
特許文献１には、一人の人間に複数が存在する生体情報を種別ごとに事前に登録しておき、登録されている生体情報の複数の種別から少なくとも一つを選択、選択された種別の生体情報の入力を指示し、生体情報の入力を受け付け、入力された生体情報と選択された種別の登録されている生体情報とを照合するようにした生体照合方法が記載されている。
【０００５】
特許文献２には、認証情報判定手段にサービス提供単位毎に通常のサービス許可用認証情報とセキュリティ運動認証情報を設け、認証情報入力手段によりセキュリティ連動認証情報が入力された場合は、セキュリティ連動認証情報の種類に応じて、認証情報入力時情報記録手段において、認証情報入力地点の記録情報の組合せ変更や情報記録精度を向上させ、認証情報入力時情報記録手段の記録情報を認証情報入力者やセキュリティサービス機構などに通知することが記載されている。
【０００６】
特許文献３には偽造指の挿入があった場合に、使用者に警告部が警告を行うことが記載されている。
【０００７】
【特許文献１】特開平１１−５３５４０号公報
【特許文献２】特開２０００−２９８７５６号公報
【特許文献３】特開２００５−９１１１８号公報
【発明の開示】
【発明が解決しようとする課題】
【０００８】
生体情報は、これを利用すれば個人を特定することが可能であるため非常に重要な情報であるが、一方で、漏洩すると不正利用される可能性があり危険性が高い情報でもある。
【０００９】
そこで、一般的には登録したデータを暗号化して、仮に漏洩してもデータ自体の内容が理解できないようにしている。しかし、知らない間に漏洩して、完全な複製を作成されれば不正利用されることになる。
【００１０】
本発明は、登録時に重複登録を回避させる警告画面を表示し、同一性生体情報について他のサービスシステムとの重複登録を回避させるようにした個人認証方法を提供することを目的とする。
【課題を解決するための手段】
【００１１】
本発明は、生体情報を予め登録しておき、認証時に認証用の生体情報を入力し、該認証用の生体情報と予め登録しておいた生体情報とを比較して同一性を判定して認証を行う個人認証方法において、
生体情報として指静脈情報が使用され、指静脈情報を予め登録する時に、当該指静脈情報が登録済であるかを画面上に尋ね、登録済である旨の回答が画面上にあった場合、当該指静脈情報の重複登録を警告する警告画面を表示するステップ
を備えることを特徴とする個人認証方法を提供する。
【００１２】
更に本発明は、生体情報を予め登録しておき、認証時に認証用の生体情報を入力し、該認証用の生体情報と予め登録しておいた生体情報とを比較して同一性を判定して認証を行う個人認証方法において、
サービスを提供するサービスシステムのサービスを受けるために生体情報を当該サービスシステムに連結してＩＣカードもしくはサーバに予め登録する時に、当該生体情報を当該サービスシステム以外のサービスシステムに連結して登録済であるかを判定し、登録済である旨の判定があった場合、当該生体情報を当該サービスシステムについてもＩＣカードもしくはサーバに重複登録することについて警告する警告画面を表示するステップ
を備えることを特徴とする個人認証方法を提供する。
【００１３】
更に本発明は、複数の生体情報をそれぞれのサービスを提供するサービスシステム毎に連結して予めＩＣカードもしくはサーバに登録しておき、認証時に認証用の生体情報を入力し、該認証用の生体情報を予め登録しておいた生体情報とを比較して同一性を判定して認証を行う個人認証方法において、
生体情報を特定されたサービスシステムに連結して予め登録する要求が画面上にあった時に、サービスシステムの判定手段は、当該生体情報が登録済のサービスシステムに連結して登録済の生体情報であるかを判定し、登録済であると判定したときには、当該生体情報を警告する警告画面を表示し、当該生体情報を登録することを拒否する処理を行い、他の生体情報の登録を求める画面を表示するステップ
を備えることを特徴とする個人認証方法を提供する。
【発明の効果】
【００１４】
本発明によれば、登録時に重複登録を回避させる警告画面を表示するようにしているので、同一生体情報についての他のサービスシステムとの重複登録を回避させるようにした個人認証方法を提供することができる。
【発明を実施するための最良の形態】
【００１５】
以下、本発明の実施例を図面に基づいて説明する。
【実施例１】
【００１６】
図１は、本発明の実施例である個人認証方法を説明するための個人認証装置の構成を示す図である。
【００１７】
図１は、個人認証装置１００を示し、この個人認証装置１００は、ＣＰＵ（制御部）１にバス２を介して連結された入力部２、生体情報読み取り手段３、表示部４、記憶媒体（記憶装置）５、生体情報取り込み手段６、生体情報読み出し手段７、照合、同一性判定、処理手段（照射手段、同一判定手段、処理手段）８および警告表示手段１０を備える。
【００１８】
生体情報は人間の指静脈、指紋、目あるいは顔などの特徴を示す情報であり、これらは生体情報取り込み手段３、すなわち指静脈、指紋、目あるいは顔などの撮像装置によって取得される。指静脈あるいは指紋は右手人差し指、左手小指などの指種は異なった生体情報となる。
【００１９】
表示部４は、予め登録した生体情報、照合のために読み込んだ生体情報（照合生体情報）などを表示するための装置を示す。
【００２０】
入力部２は、個人認証装置１００の使用者が生体情報の取得指示や照合処理の開始をＣＰＵに指示するための、例えばキーボード装置などの入力装置である。ＣＰＵに対する指示によってデータ入力支持が検出される。
【００２１】
生体情報取り込み手段６は、生体情報読み取り手段３によって取得された生体情報を取り込んで記憶媒体５あるいはＩＣカードもしくはサーバ１０に登録（格納）させる手段である。
【００２２】
記憶手段５は、半導体メモリのＲＯＭ，ＲＡＭやハードディスク装置等で構成され、制御プログラムを格納している他に、生体情報取り込み手段６に取り込まれた生体情報を登録している。
【００２３】
生体情報読み出し手段７は、ＣＰＵ１の指示によってＩＣカードもしくはサーバ１０，あるいは記憶媒体５から登録済の生体情報を読み出す手段である。なお、図に示すサーバは外部に設置されるサーバを意味するが、内部における記憶媒体５をサーバと読み替えることができる。
【００２４】
照合、同一性判定、処理手段８は、生体情報読み出し手段７によって読み出されたＩＣカードもしくはサーバ１０（または記憶媒体５）に登録された生体情報を生体情報読み取り手段３によって読み取られた生体情報を照合し、同一性を判定し、同一性が認識あるいは同一性がないと認識された後の処理を行う手段であり、照合手段、同一性判定手段および処理手段を含む。
【００２５】
警告表示手段９は、重複登録を回避させるために画面上に警告を表示する手段である。
【００２６】
照合、同一性判定、処理手段８は、生体情報を予め登録する時に、当該指静脈情報が登録済であるかを表示部４の画面上に尋ねる問合せ手段を含み、警告表示手段９は、登録済である旨の回答が画面上にあった場合、当該生体情報の重複登録を警告する警告画面を表示する。生体情報として指静脈情報が使用される時には、指静脈情報を予め登録する時に、当該指静脈情報が登録済であるかを尋ね、登録済である旨の回答が画面上にあった場合、当該指静脈情報の重複登録を警告する警告画面を表示するステップが構成される。指紋、その他の生体情報についても同様である。
【００２７】
図２は、図１で使用される表示部４の画面構成を示す。画面部２１は、画面上に“当該生体情報に登録済であるか”との問合せ２２を行う。この問合せは取得された生体情報を画像と表示することと一緒に行うことができる。その下欄には使用者、すなわち認証を求める者が画面上に入力可能な“ＹＥＳ”，“ＮＯ”欄２３が設けてある。ＹＥＳが入力されると、“重複登録は危険です。他の生体情報の登録をお願いします。”等の警告表示２４がなされる。
【００２８】
このように、登録時に重複登録を回避させるための警告画面を表示し、同一生体情報について他のサービスシステムとの重複登録を回避させるようにする機能を持たせる。
【００２９】
例えば、銀行のＡＴＭシステムで右手人差し指の指静脈を登録した場合、ゲーム店のコイン管理システムでは、右手人差し指以外の指（例えば左手の小指）の指静脈を登録させるように意識させることで、仮にゲーム店のコイン管理システムから生体情報が漏洩してもＡＴＭシステムには被害が出ないようにする。
【００３０】
上記の例では、同一生体情報についての重複登録を回避させるようにする機能について説明したが、生体情報についての同一種類の生体情報についての重複登録を回避させるようにする機能にしてもよい。
【００３１】
すなわち、登録時に重複登録を回避させる警告画面を表示し、同一種類の生体情報の、他のシステムとの重複登録を回避させる機能を持たせる。
【００３２】
例えば、銀行のＡＴＭシステムで指静脈を登録した場合、ゲーム店のコイン管理システムでは、指静脈以外の生体情報（指紋など）を登録させるように意識させることで、仮にゲーム店のコイン管理システムから生体情報が漏洩しても、ＡＴＭシステムには被害が出ないようにする。
【００３３】
例えばＩＣカードを例に説明する。
【００３４】
銀行のＡＴＭシステムでの登録時、生体情報の種類（指静脈、指紋など）、登録指種類（右手人差し指、左手小指など）、生体情報をＩＣカードに登録する。例として、指静脈、右手人差し指、指静脈右手人指し指データが登録されたとする。
【００３５】
ゲーム店のコイン管理システムでの登録時、前記ＩＣカードを登録機に入力すると、例えば「他システムで指静脈、右手人差し指データが登録されています。本システムは別指の登録をおすすめします。」のような警告画面を表示することで、重複登録を回避する。
【００３６】
図３はフローチャートを示す。
【００３７】
図３において、ＩＣカードもしくはサーバに予め生体情報について登録する（Ｓ１）。この生体情報は１つのサービスシステムに連結した登録とする。データ入力操作による生体情報の読み取り、すなわち検出を行う（Ｓ２）。当該生体情報が今、利用しようとする他のシステム、すなわち当該システム以外のサービスシステム（Ｓ１で登録済のサービスシステム）で登録済かの問合せを画面上に行う（Ｓ３）。この画面上には今、登録しようとする生体情報が表示される。
【００３８】
使用者から画面上に登録済か否かの回答がなされる（Ｓ４）。登録済との回答があった場合には警告画面表示を行う（Ｓ５）。未登録の回答があった場合あるいは警告画面の表示がなされると生体情報の登録が許容される（Ｓ６）。従って、この段落でＩＣカードもしくはサーバに他のサービスシステムに連結して使用される生体情報が登録される。
【実施例２】
【００３９】
図４は実施例２である生体認識装置１００の構成を示し、図１と同一の構成については同一の番号が付してある。同一番号の構成については実施例１の説明を援用するものとし、ここでは差異のある箇所について主に説明することにする。
【００４０】
この実施例では各種サービスシステム連動手段１１、伝送制御部１２および生体情報・サービスシステム読み出し手段１５を備える。伝送制御部１２はネットワーク１３を介して他のＣＰＵ１４に接続される。また、ＩＣカードもしくは、サーバ１０は各種サービスシステム連動手段に接続される。
【００４１】
ＣＰＵ１は、入力部１２からの入力信号に応じて、記号媒体５に予め記憶されている制御プログラム、生体照合、同一性判定、処理プログラムを起動させ回路各部の動作を制御する。
【００４２】
各種サービスシステム連動手段１１は伝送制御部１２の制御によってネットワーク１３を介して他のＣＰＵ１４に連続され、他のサービスシステムにおいて登録された生体情報を確認することができ、他のサービスシステムにおいて登録された生体情報もＩＣカードもしくはサーバ１０に登録され得る。従って、ＩＣカードもしくはサーバ１０にはサービスシステムと生体情報とが連結して登録され得る。
【００４３】
ここでサービスシステムとは入退管理サービスを行う入退管理システム、金銭の預け、引出しあるいは振込み等のサービスを行う銀行のＡＴＭシステム，ゲームサービスを行うゲーム店のコイン管理システムあるいは教育情報サービスを行う教育通信システムなどを指し、独自の料金支払いあるいは受取り業務を含むシステムを指す。このようなサービスシステムは多数にのぼる。そして、各サービスシステムは独自のＣＰＵ１４を備えている。従って、これらのＣＰＵすなわちサービスシステムはネットワーク１３を介して接続される。生体情報・サービスシステム読み出し手段１５は実施例１の生体情報読み出し手段７に対応し、更にＩＣカードもしくはサーバ１０に登録された生体情報とサービスシステムとを連続して読み出すことができる。
【００４４】
図５は、図４で使用される表示部４の画面構成を示す。画面部３１は、画面上に生体情報・サービスシステム読み出し手段１５によって読み出した生体情報・サービスシステムの結果に基づいて“当該生体情報は○○○○○のサービスシステムで登録済です。”との回答３２を行う。この場合は、図２と同様に警告表示３４を行う。そして、他の生体情報の登録を行いますかの問い合わせ３５を行い、使用者にＹＥＳ，ＮＯの回答３６を求めることを行い、回答に従って次のステップ画面へと移行する。
【００４５】
未登録の場合には“未登録です。登録を行いますか。”の問い合せ３３を行い、使用者にＹＥＳ，ＮＯの回答３７を求めることを行い、回答に従って次のステップ画面へと移行する。
【００４６】
図６はフローチャートを示す。
【００４７】
図６において、ＩＣカードもしくはサーバに予め生体情報について登録する（Ｓ１１）。この生体情報は１つのサービスシステムに連結した登録とする。データ入力操作による生体情報の読み取り、すなわち検出を行う（Ｓ１２）。当該生体情報が今、利用しようとする他のシステム、すなわち当該システム以外のサービスシステム（Ｓ１１で登録済のサービスシステム）で登録済かの判定を行う（Ｓ１３）。この画面上には今、登録しようとする生体情報が表示される。
【００４８】
判定によって登録済であるとの回答がなされると、画面上に警告画面の表示がなされる（Ｓ１４）。未登録の場合には、直ちに当該生体情報の登録がＩＣカードあるいはサーバになされる（Ｓ１８）。
【００４９】
警告画面の表示と同時に他の生体情報の登録を行うかの問合せを行い（Ｓ１５）、画面上に他の生体情報の登録を行う旨の回答があると他の生体情報の読み取りがなされ、これが当該生体情報となる（Ｓ１６）。
【００５０】
当該生体情報となるとステップＳ１３へと移行する。他の生体情報の登録を行わないとの回答があった場合には、重複登録がなされる（Ｓ１７）。この場合にあっても重複登録は警告画面の表示があったことを条件としてなされることになる。
【実施例３】
【００５１】
実施例２にあっては主体情報の重複登録を行うかについて警告表示があっても重複登録にするか他の生体情報を登録するかについては使用者の任意である。実施例３は、重複登録システムが拒否処理する例である。この例を図５の例と比較すると、警告表示の内容が異なる。この例では、“重複登録は危険です。当該生体情報の登録を行いません。”すなわち登録拒否する警告表示３４Ａを行う。重複登録を回避するか否かは使用者の任意とするのが原則であるが、使用例によっては強制的な重複登録回避とすることが望ましい場合が有り得る。この例はこのような場合に対応することができる。実施例２と実施例３とを併用して切り換えて使用するようにしてもよい。
【００５２】
図８はフローチャートを示す。
【００５３】
図８において、ＩＣカードもしくはサーバに予め生体情報について登録する（Ｓ２１）。この生体情報は１つのサービスシステムに連結した登録とする。データ入力操作による生体情報の読み取り、すなわち検出を行う（Ｓ１２）。当該生体情報が今、利用しようとする他のシステム、すなわち当該システム以外のサービスシステム（Ｓ２１で登録済のサービスシステム）で登録済かの判定を行う（Ｓ２３）。この画面上には今、登録しようとする生体情報が表示される。
【００５４】
判定によって登録済であるとの回答がなされると、画面上に警告画面の表示がなされる（Ｓ２４）。未登録の場合には、直ちに当該生体情報の登録がＩＣカードあるいはサーバになされる（Ｓ２８）。
【００５５】
警告画面の表示があると、当該生体情報の登録を拒否する処理を行う。そして、他の生体情報の登録を要求する（Ｓ２６）。前述したように他の生体情報としては指静脈の場合、親指の静脈情報に代えて小指の指静脈情報の場合と、指静脈に代えて他の種類、例えば指紋による情報に代えることを要求する場合とがある。他の生体情報は当該生体情報となり（Ｓ２７）、ステップＳ２３に戻る。
以上のように、例えば、銀行のＡＴＭシステムで右手人差し指の指静脈を登録した場合、ゲーム店のコイン管理システムでは、右手人差し指以外の指（例えば左手の小指）の指静脈を登録させるように意識させることで、仮にゲーム店のコイン管理システムから生体情報が漏洩しても、ＡＴＭシステムには被害が出ないようにすることができる。
【００５６】
また、例えば、銀行のＡＴＭシステムで指静脈を登録した場合、ゲーム店のコイン管理システムでは、指静脈以外の生体情報（指紋など）を登録させるように意識させることで、仮にゲーム店のコイン管理システムから生体情報が漏洩しても、ＡＴＭシステムには被害が出ないようにすることができる。
【００５７】
本実施例によれば、個人認証方法に加えて、更に次に示す個人認証装置を提供することができる。
【００５８】
生体情報を予め登録しておき、認証時に認証用の生体情報を入力し、該認証用の生体情報と予め登録しておいた生体情報とを比較して同一性を判定して認証を行う個人認証装置において、
生体情報として指静脈情報が使用され、指静脈情報を予め登録する時に、当該指静脈情報が登録済であるかを画面上に尋ねる問合せ手段と、登録済である旨の回答が画面上にあった場合、当該指静脈情報の重複登録を警告する警告画面を表示する警告画面表示手段と
を備えることを特徴とする個人認証装置。
【００５９】
生体情報を予め登録しておき、認証時に認証用の生体情報を入力し、該認証用の生体情報と予め登録しておいた生体情報とを比較して同一性を判定して認証を行う個人認証装置において、
サービスを提供するサービスシステムのサービスを受けるために生体情報を当該サービスシステムに連結してＩＣカードもしくはサーバに予め登録する時に、当該生体情報を当該サービスシステム以外のサービスシステムに連結して登録済であるかを判定する判定手段と、登録済である旨の判定があった場合、当該生体情報を当該サービスシステムについてもＩＣカードもしくはサーバに重複登録することについて警告する警告画面を表示する警告画面表示手段と
を備えることを特徴とする個人認証装置。
【００６０】
前述の個人認証装置において、前記警告画面を表示したときは、当該指静脈情報もしくは当該生体情報の登録を拒否する処理を行い、他の指静脈情報もしくは他の生体情報の登録を求める画面を表示することを特徴とする個人認証装置。
【００６１】
前述の個人認証装置において、前記警告画面を表示したことを条件として生体情報について重複登録を行うことを特徴とする個人認証装置。
【００６２】
複数の生体情報をそれぞれのサービスを提供するサービスシステム毎に連結して予めＩＣカードもしくはサーバに登録しておき、認証時に認証用の生体情報を入力し、該認証用の生体情報を予め登録しておいた生体情報とを比較して同一性を判定して認証を行う個人認証装置において、
生体情報を特定されたサービスシステムに連結して予め登録する要求が画面上にあった時に、当該生体情報が登録済のサービスシステムに連結して登録済の生体情報であるかを判定するサービスシステムの判定手段と、登録済であると判定したときには、当該生体情報の重複登録を警告する警告画面を表示する手段と、当該生体情報を登録することを拒否する処理を行う処理手段と、他の生体情報の登録を求める画面を表示する画面表示手段と、
を備えることを特徴とする個人認証装置。
【００６３】
前述の個人認証装置において、各サービスシステムのＩＣカードもしくはサーバには当該サービスシステムに連結された生体情報が登録されていることを特徴とする個人認証装置。
【図面の簡単な説明】
【００６４】
【図１】本発明の実施例の個人認証方法を示す個人認証装置の構成図。
【図２】画面例を示す図。
【図３】フローチャート図。
【図４】他の個人認証装置の構成図。
【図５】他の画面例を示す図。
【図６】他のフローチャート。
【図７】他の画面例を示す図。
【図８】他のフローチャート。
【符号の説明】
【００６５】
１…ＣＰＵ（制御部）、２…入力部、３…生体情報読み取り手段、４…表示部、５…記憶媒体（記憶装置）、６…生体情報取り込み手段、７…生体情報読み出し手段、８…照合、同一性判定、処理手段、９…警告表示手段、１０…ＩＣカードもしくはサーバ、１１…各種サービスシステムの連動手段、１２…伝送制御部、１３…ネットワーク、１４…他のＣＰＵ、１５…生体情報・サービスシステム読み出し手段、２１，３１，４１…画面部、１００…個人認証装置。
【図１】
2007219973.tif 000003
【図２】
2007219973.tif 000004
【図３】
2007219973.tif 000005
【図４】
2007219973.tif 000006
【図５】
2007219973.tif 000007
【図６】
2007219973.tif 000008
【図７】
2007219973.tif 000009
【図８】
2007219973.tif 000010